Podtech/llm-jp-corpus-v4-ja_patent huggingface dataset:
【手続補正書】
【提出日】令和1年10月24日(2019.10.24)
【手続補正１】
【補正対象書類名】明細書
【補正対象項目名】００２３
【補正方法】変更
【補正の内容】
【００２３】
本発明のより好ましい実施態様は：（ａ）３個のアミノ酸置換Ｒ３１Ｌ，Ｖ５２Ｔ，Ｈ５９Ｆを含むポリペプチド，最も好ましくは，配列番号：３０を有するポリペプチド，（ｂ）６個のアミノ酸置換Ｒ３１Ｌ，Ｖ５２Ｔ，Ｈ５９Ｆ，Ｌ９２Ｙ，Ｃ９６Ｙ，Ｓ１０９Ｅを含むポリペプチド，最も好ましくは，配列番号：３２を有するポリペプチド，（ｃ）９個のアミノ酸置換Ｋ３０Ｉ，Ｒ３１Ｌ，Ｖ５２Ｔ，Ｅ５４Ｄ，Ｈ５９Ｆ，Ｌ９２Ｙ，Ｃ９６Ｙ，Ｅ１０８Ｈ，Ｓ１０９Ｅを含むポリペプチド，最も好ましくは，配列番号：３４を有するポリペプチド，（ｄ）９個のアミノ酸置換Ｒ３１Ｌ，Ｖ５２Ｔ，Ｅ５４Ｄ，Ｈ５９Ｆ，Ｌ９２Ｙ，Ｓ９４Ｉ，Ｃ９６Ｎ，Ｓ１０９Ｅ，Ｔ１２１Ｐを含むポリペプチド，最も好ましくは，配列番号：３６を有するポリペプチド，及び（ｅ）１１個のアミノ酸置換Ｋ３０Ｉ，Ｒ３１Ｌ，Ｖ５２Ｔ，Ｅ５４Ｄ，Ｈ５９Ｆ，Ｌ９２Ｙ，Ｓ９４Ｉ，Ｃ９６Ｎ，Ｅ１０８Ｈ，Ｓ１０９Ｅ，Ｔ１２１Ｐを含むポリペプチド，最も好ましくは，配列番号：３８を有するポリペプチドである。
【手続補正２】
【補正対象書類名】明細書
【補正対象項目名】００２７
【補正方法】変更
【補正の内容】
【００２７】
第３の観点において，本発明は，有効量の本発明による熱安定性のＦＧＦ２ポリペプチド又はその断片を培地に対して１．０ng/μl〜１００ng/μlの範囲の量で含む，未分化の状態のヒト多能性幹細胞を培養するのに適する培地を提供する。好ましくは，提示された培地は，本発明による提示されたＦＧＦ２ポリペプチド又はその断片であって，アミノ酸置換（ａ）Ｒ３１Ｌ，Ｖ５２Ｔ，Ｈ５９Ｆを含むもの，最も好ましくは，配列番号：３０を有するポリペプチド，（ｂ）６個のアミノ酸置換Ｒ３１Ｌ，Ｖ５２Ｔ，Ｈ５９Ｆ，Ｌ９２Ｙ，Ｃ９６Ｙ，Ｓ１０９Ｅを含むもの，最も好ましくは，配列番号：３２を有するポリペプチド，（ｃ）９個のアミノ酸置換Ｋ３０Ｉ，Ｒ３１Ｌ，Ｖ５２Ｔ，Ｅ５４Ｄ，Ｈ５９Ｆ，Ｌ９２Ｙ，Ｃ９６Ｙ，Ｅ１０８Ｈ，Ｓ１０９Ｅを含むもの，最も好ましくは，配列番号：３４を有するポリペプチド，（ｄ）９個のアミノ酸置換Ｒ３１Ｌ，Ｖ５２Ｔ，Ｅ５４Ｄ，Ｈ５９Ｆ，Ｌ９２Ｙ，Ｓ９４Ｉ，Ｃ９６Ｎ，Ｓ１０９Ｅ，Ｔ１２１Ｐを含むもの，最も好ましくは，配列番号：３６を有するポリペプチド，及び（ｅ）１１個のアミノ酸置換Ｋ３０Ｉ，Ｒ３１Ｌ，Ｖ５２Ｔ，Ｅ５４Ｄ，Ｈ５９Ｆ，Ｌ９２Ｙ，Ｓ９４Ｉ，Ｃ９６Ｎ，Ｅ１０８Ｈ，Ｓ１０９Ｅ，Ｔ１２１Ｐを含むもの，最も好ましくは，配列番号：３８を有するポリペプチドを含む。
【手続補正３】
【補正対象書類名】明細書
【補正対象項目名】００４５
【補正方法】変更
【補正の内容】
【００４５】
ここで使用される限り，用語「配列同一性」は，特定のポリペプチド及び参照配列のアミノ酸配列アラインメントが実施される場合，特定のポリペプチドのアミノ酸配列及び参照（参照配列）として寄与する配列内に同じアミノ酸残基が見出されることが意図される。配列同一性のパーセンテージは，両方の配列に同一のアミノ酸残基が生じる位置の数を決定して一致する位置の数を出し，この一致する位置の数を参照分子への比較を行ったセグメント中の位置の総数で割り，結果に１００を掛けて配列同一性のパーセンテージを出すことにより計算される。配列アラインメントの方法は当該分野でよく知られている。ここに使用される参照配列は，本発明による特定の対応するヒトＦＧＦ２タンパク質を意味する。哺乳類，例えば．マウス，ラット，ウサギ，霊長類動物，ブタ，イヌ，雌牛，ウマ及びヒトの中で，ＦＧＦ２は高度に保存され，広範囲の種にわたって少なくとも８５％の配列同一性を示す。好ましいのは，少なくとも９６％，９７％，９８％又は９９％又は１００％の配列同一性である。当業者は，例えば異なる由来のＦＧＦ２種の使用又は当該分野で一般に知られている適切な非ＦＧＦペプチド配列又はタグの添加により，本発明によるＦＧＦ２タンパク質の長さに沿って１５％以下のアミノ酸が可変であることを理解するであろう。ＦＧＦファミリーの他のメンバーは一般にはるかに低い配列同一性を有するので，野生型のＦＧＦ２に対して少なくとも８５％の同一性を有する本発明の実施態様によるＦＧＦ２タンパク質は，ＦＧＦ２に似ているもの以外のタンパク質を含まないであろう。
【手続補正４】
【補正対象書類名】図面
【補正対象項目名】図１
【補正方法】変更
【補正の内容】
【図１】
2019500414.tif 000001
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
− 互いに対するメタ位に少なくとも２個の−Ｏ−Ｈ基を有し、−Ｏ−Ｈ基のうちの少なくとも１個に対する２個のオルト位が無置換である、少なくとも１個の芳香族環を含む、少なくとも１種の芳香族ポリフェノールおよび
− 式Ｗ
【化１】
2019500459.tif 000001
(W)
（式中、
− 各Ａｒ1基およびＡｒ2基は互いに独立に、置換されていてもよい芳香族環を表し、
− ＳＰは、少なくともＡｒ1基とＡｒ2基とを互いに連結している連結基であり、少なくとも２個の共有結合によってＡｒ1基とＡｒ2基とを隔離している）
の少なくとも１種のアルデヒド
をベースとする、少なくとも１種のフェノール−アルデヒド樹脂を含むことを特徴とする、ゴム組成物。
【請求項２】
ＳＰが、３個以上、かつ２０個以下の数の共有結合によってＡｒ1基とＡｒ2基とを隔離している、請求項１に記載の組成物。
【請求項３】
アルデヒドが、式Ｗ３
【化４】
2019500459.tif 000002
(W3)
（式中、Ｙ1−Ｚ−Ｙ2は、二価基を表し、
− Ｙ1およびＹ2がそれぞれ互いに独立に、酸素、ＣＨ2基、Ｃ＝Ｏ基、Ｓ＝Ｏ基およびＳＯ2基からなる群より選択される基を表し、
− Ｚが、炭化水素をベースとする基および置換炭化水素をベースとする基からなる群より選択される二価基を表す）
のアルデヒドである、請求項１または２のいずれか１項に記載の組成物。
【請求項４】
芳香族ポリフェノールが、レゾルシノール、フロログルシノール、２，２’，４，４’ −テトラヒドロキシジフェニルスルフィド、２，２’，４，４’ −テトラヒドロキシベンゾフェノンおよびこれらの化合物の混合物からなる群より選択される、請求項１から３のいずれか１項に記載の組成物。
【請求項５】
硬化状態である、請求項１から４のいずれか１項に記載の組成物。
【請求項６】
− 互いに対するメタ位に少なくとも２個の−Ｏ−Ｈ基を有し、−Ｏ−Ｈ基のうちの少なくとも１個に対する２個のオルト位が無置換である、少なくとも１個の芳香族環を含む、少なくとも１種の芳香族ポリフェノールおよび
− 式Ｗ
【化８】
2019500459.tif 000003
(W)
（式中、
− 各Ａｒ1基およびＡｒ2基は互いに独立に、置換されていてもよい芳香族環を表し、
− ＳＰは、少なくともＡｒ1基とＡｒ2基とを互いに連結している連結基であり、少なくとも２個の共有結合によってＡｒ1基とＡｒ2基とを隔離している）
の少なくとも１種のアルデヒド
を含むことを特徴とする、ゴム組成物。
【請求項７】
未硬化状態のゴム組成物を製造するための方法であって、
− 互いに対するメタ位に少なくとも２個の−Ｏ−Ｈ基を有し、−Ｏ−Ｈ基のうちの少なくとも１個に対する２個のオルト位が無置換である、少なくとも１個の芳香族環を含む、少なくとも１種の芳香族ポリフェノールと、
− 式Ｗ
【化９】
2019500459.tif 000004
(W)
（式中、
− 各Ａｒ1基およびＡｒ2基は互いに独立に、置換されていてもよい芳香族環を表し、
− ＳＰは、少なくともＡｒ1基とＡｒ2基とを互いに連結している連結基であり、少なくとも２個の共有結合によってＡｒ1基とＡｒ2基とを隔離している）
の少なくとも１種のアルデヒドと
を混合するステップを含むことを特徴とする、方法。
【請求項８】
硬化状態のゴム組成物を製造するための方法であって、
− 未硬化状態のゴム組成物を製造するステップであって、
− 互いに対するメタ位に少なくとも２個の−Ｏ−Ｈ基を有し、−Ｏ−Ｈ基のうちの少なくとも１個に対する２個のオルト位が無置換である、少なくとも１個の芳香族環を含む、少なくとも１種の芳香族ポリフェノールと、
− 式Ｗ
【化１０】
2019500459.tif 000005
(W)
（式中、
− 各Ａｒ1基およびＡｒ2基は互いに独立に、置換されていてもよい芳香族環を表し、
− ＳＰは、少なくともＡｒ1基とＡｒ2基とを互いに連結している連結基であり、少なくとも２個の共有結合によってＡｒ1基とＡｒ2基とを隔離している。）
の少なくとも１種のアルデヒドと
を混合するステップを含む、前記ステップ、
− 次いで、未硬化状態のゴム組成物を整形するステップ、
− 次いで、芳香族ポリフェノールおよびアルデヒドをベースとしたフェノール−アルデヒド樹脂が架橋される間に、ゴム組成物を加硫するステップ
を含むことを特徴とする、方法。
【請求項９】
少なくとも１種の芳香族ポリフェノールおよび少なくともアルデヒドをベースとしたフェノール−アルデヒド樹脂を含むゴム組成物中への、ゴム組成物の剛性を増大させるための、および／または、少なくとも１種の芳香族ポリフェノールおよび少なくともアルデヒドをベースとしたフェノール−アルデヒド樹脂を含むゴム組成物が未硬化状態のときの流動性を増大させるための、および／または、少なくとも１種の芳香族ポリフェノールおよび少なくともアルデヒドをベースとしたフェノール−アルデヒド樹脂を含むゴム組成物の温度が上昇している状態で剛性を保持するための、式Ｗ
【化１９】
2019500459.tif 000006
(W)
（式中、
− 各Ａｒ1基およびＡｒ2基は互いに独立に、置換されていてもよい芳香族環を表し、
− ＳＰは、少なくともＡｒ1基とＡｒ2基とを互いに連結している連結基であり、少なくとも２個の共有結合によってＡｒ1基とＡｒ2基とを隔離している）
のアルデヒドの使用。
【請求項１０】
請求項１から６のいずれか１項に記載のゴム組成物を含むことを特徴とする、タイヤ（１）。
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
バイオマスベースの燃料であって、
−蒸気爆発バイオマスと、
−いくらかの燃焼添加剤と、
を含み、
−前記燃焼添加剤は、熱伝達表面上の煙道ガス成分の化学的及び／又は機械的効果を低減することができる添加剤の群から選択される、バイオマスベースの燃料。
【請求項２】
バイオマスベースの燃料を製造する方法であって、
−バイオマスを反応器に供給するステップと、
−前記反応器に蒸気を供給するステップと、
−少なくとも１０バール（ａ）の圧力及び１８０℃〜２５０℃の温度で、少なくとも２分間、前記バイオマス及び前記蒸気を同時に前記反応器中に維持するステップと、
−前記バイオマスの環境の圧力が５バール（ａ）未満に低下するように、前記反応器内の圧力を低下させ、及び／又は前記反応器からバイオマスを移送して、蒸気爆発バイオマスを生成させるステップと、
−前記バイオマス及び／又は前記蒸気爆発バイオマスにいくらかの燃焼添加剤を添加するステップと、
を含み、
−前記燃焼添加剤は、熱伝達表面上の煙道ガス成分の化学的及び／又は機械的効果を低減することができる添加剤の群から選択される、
方法。
【請求項３】
請求項２に記載の方法であって、
−前記バイオマスの種類に基づいて、前記バイオマスベースの燃料の燃焼添加剤の総量及び／又は材料を選択する、方法。
【請求項４】
請求項２又は３に記載の方法であって、
−前記燃焼添加剤は、前記蒸気爆発バイオマスの温度が少なくとも９０℃になるように、前記蒸気爆発バイオマスに添加される、方法。
【請求項５】
請求項１に記載のバイオマスベース燃料、又は請求項２〜４のいずれかに記載の方法であって、
−前記燃焼添加剤は、いくらかの汚れ低減添加剤を含む、
バイオマスベースの燃料又は方法。
【請求項６】
請求項５に記載のバイオマスベースの燃料又は方法であって、
−前記汚れ低減添加剤は、燃焼すると、バイオマスの灰よりも高い融点を有する灰を形成する添加剤の群から選択される、
燃料又は方法。
【請求項７】
請求項５又は６に記載のバイオマスベースの燃料又は方法であって、
−前記汚れ低減添加剤は、蒸気爆発バイオマス又は汚れを引き起こすバイオマスのそのような化合物と化学的に反応することができる添加剤の群から選択される、
燃料又は方法。
【請求項８】
請求項５〜７のいずれかに記載のバイオマスベースの燃料又は方法であって、
−前記燃焼添加剤は、カオリン、石灰石（ＣａＣＯ３）、ドロマイト（ＣａＭｇ（ＣＯ３）２）、炭酸マグネシウム（ＭｇＣＯ３）、クレー、石炭フライアッシュ、カオリナイト（Ａｌ２Ｓｉ２Ｏ５（ＯＨ）４）、エマルサイト(emalthite)、ベントナイト、ケイ酸アルミニウム、及びボーキサイトの少なくとも１を含む、
バイオマスベースの燃料又は方法。
【請求項９】
請求項１〜８のいずれかに記載のバイオマスベースの燃料又は方法であって、
−前記燃焼添加剤の量は、前記バイオマスベースの燃料の量の少なくとも０．１重量％且つ多くとも１６重量％である、
バイオマスベースの燃料又は方法。
【請求項１０】
請求項１〜９のいずれかに記載のバイオマスベースの燃料又は方法であって、
−前記燃焼添加剤は、硫黄のような前記バイオマスベースの燃料の腐食電位に影響を与えるいくらかの添加剤を含む、
バイオマスベースの燃料又は方法。
【誤訳訂正書】
【提出日】令和1年7月22日(2019.7.22)
【誤訳訂正１】
【訂正対象書類名】特許請求の範囲
【訂正対象項目名】全文
【訂正方法】変更
【訂正の内容】
【特許請求の範囲】
【請求項１】
Ａ）（ｉ）（Ｒ’’Ｏ）３−ａ（Ｒ）ａＳｉ−Ｚ−（Ｓｉ（Ｒ）２−Ｏ）ｘ−Ｓｉ（Ｒ）２−Ｚ−Ｓｉ（ＯＲ’’）３−ａ（Ｒ）ａ、式中、各Ｒは脂肪族不飽和を含まず、１〜１８個の炭素原子を含む、一価炭化水素基、一価ハロ炭化水素基、及び一価シアノアルキル基からなる群から選択され、各Ｒ’’は１〜６個の炭素原子を有する一価炭化水素基であり、Ｚは、二価炭化水素基または二価炭化水素基とシロキサン基との組み合わせであり、ａは０または１であり、そしてｘは、ポリマーが２５℃で０．５〜３０００Ｐａ．ｓの粘度を有するような値であり、
（ｉｉ）（ＨＯ）３−ｂ（Ｒ）ｂＳｉ−Ｏ−（Ｓｉ（Ｒ）２−Ｏ）ｙ−Ｓｉ（ＯＨ）３−ｂ（Ｒ）ｂのアルファ、オメガ−ジオルガノポリシロキサン、式中、各Ｒは脂肪族不飽和を含まず、１〜１８個の炭素原子を含む、一価炭化水素基、一価ハロ炭化水素基、及び一価シアノアルキル基からなる群から選択され、ｂは０，１または２であり、ｙはポリマーが２５℃で０．５〜３０００Ｐａ．ｓの粘度及び１０００〜１００００００の平均分子量（Ｍｎ）を有するような値であり、あるいは
（ｉｉｉ）上記（ｉ）及び（ｉｉ）の混合物、
から選択される５０〜９５重量％の１つ以上のオルガノポリシロキサンと、
Ｂ）（ｉ）ポリエチレンオキシド及び／またはポリプロピレンオキシドをベースとする親水性及び／または水溶性樹脂であって、含まれる各ポリオキシアルキレンポリマー部分の数平均分子量が５００００を超える、親水性及び／または水溶性樹脂
（ｉｉ）１つ以上の陰イオン性界面活性剤、
（ｉｉｉ）スルホネート基、アセテート基、及びサルフェート基から選択されるイオン化可能な基を含有するポリマー、
（ｉｖ）（ｉ）、（ｉｉ）及び（ｉｉｉ）の２つ以上の混合物
から選択される５〜３５重量％の親水性物質と、
Ｃ）少なくとも２つのアルコキシまたはアルケニルオキシ基を含有するシランまたはシロキサン架橋剤、あるいは各シリル基が少なくとも１つのアルコキシまたはアルケニルオキシ基を含有する少なくとも２つのシリル基を有するシリル官能性分子から選択される０．５〜７．５重量％の架橋剤と、
Ｄ）０．５〜５重量％のチタネートまたはジルコネート触媒と、
Ｅ）充填剤、共触媒、レオロジー改質剤；可塑剤、接着促進剤、相溶化剤、顔料、熱安定剤、難燃剤、ＵＶ安定剤、鎖延長剤、電気的及び／または熱伝導性充填剤、ならびに／あるいは殺菌剤から選択される１つ以上の任意の材料と、
を含み、Ａ＋Ｂ＋Ｃ＋Ｄ＋Ｅの総重量％は１００％である、シリコーン室温硬化性シーラント／接着剤組成物。
【請求項２】
親水性及び／または水溶性樹脂Ｂ（ｉ）は、平均式（−ＣｎＨ２ｎ−Ｏ−）ｙによって表される、繰り返しオキシアルキレン単位（−ＣｎＨ２ｎ−Ｏ−）から構成されるポリオキシアルキレンポリマー部分を含み、式中、ｎは２〜４の整数であり、ｙは４以上の整数である、請求項１に記載のシリコーン室温硬化性シーラント／接着剤組成物。
【請求項３】
成分Ｃ）は、少なくとも３つのアルコキシまたはアルケニルオキシ基を含有するシランまたはシロキサン架橋剤である、請求項１に記載のシリコーン室温硬化性シーラント／接着剤組成物。
【請求項４】
成分Ｂ）（ｉｉ）陰イオン性界面活性剤は、ナトリウムスルホネート／カリウムスルホネート、アルケニルスルホネート；アルキルサルフェート、アルキルベンゼンスルホネート；カリウムアルキルホスフェート、アルキルスクシネート；アルキルスルホサクシネート及びＮ−アルキルサルコシネート；ならびにアルキル及びアラルキルサルフェートのナトリウム、マグネシウム、アンモニウム、及びモノ−、ジ−及びトリエタノールアミン塩、ならびにアルカリールスルホネートのナトリウム、マグネシウム、アンモニウム、及びモノ−、ジ−及びトリエタノールアミン塩；及び／またはその混合物から選択される、請求項１〜３のいずれか１項に記載のシリコーン室温硬化性シーラント／接着剤組成物。
【請求項５】
親水性物質Ｂ）（ｉｉｉ）は、ビニルスルホン酸、スチレンスルホン酸、ナフタレンスルホン酸またはアクリルアミドアルキルスルホン酸単位ならびにそれらの塩を含むホモポリマー及びコポリマー、ならびに前記ホモポリマー及びコポリマーと、不飽和コモノマーとのコポリマーから選択される、請求項１〜４のいずれか１項に記載のシリコーン室温硬化性シーラント／接着剤組成物。
【請求項６】
１部または２部での使用前に保存される、請求項１〜５のいずれか一項に記載のシリコーン室温硬化性シーラント／接着剤組成物。
【請求項７】
硬化前において３０℃超の温度で保存した場合、硬化時におけるその機械的強度の少なくとも５０％を保持する一成分組成物である、請求項１〜６のいずれか１項に記載のシリコーン室温硬化性シーラント／接着剤組成物。
【請求項８】
請求項１〜７のいずれか１項に記載の組成物を硬化させて得られるシリコーンエラストマー。
【請求項９】
硬化シーラントを水またはリン酸緩衝生理食塩水に２４時間浸漬したときに、前記硬化シーラント１グラム当たり少なくとも０．０１グラムの水を捕捉する、請求項８に記載のシリコーンエラストマー。
【請求項１０】
塗装可能なシーラント、ジョイント充填剤、水吸収シーラントにおける請求項８または９に記載のシリコーンエラストマーの使用。
【請求項１１】
水性漏れを制御及び／または抑制するための、ジョイント膨張が望まれる用途における、請求項８または９に記載のシリコーンエラストマーの使用。
【請求項１２】
創傷ケア及び化粧パッチ、医療機器ならびに／またはおむつの縁における、請求項８または９に記載のシリコーンエラストマーの使用。
【請求項１３】
塗装可能なシーラント、ジョイント充填剤、水吸収シーラントにおける使用のための、請求項８または９に記載のシリコーンエラストマー。
【請求項１４】
水性漏れを制御及び／または抑制するための、ジョイント膨張が所望される用途における使用のための、請求項８または請求項９に記載のシリコーンエラストマー。
【請求項１５】
創傷ケア及び化粧パッチ、医療機器ならびに／またはおむつの縁での使用のための、請求項８または９に記載のシリコーンエラストマー。
【請求項１６】
配置を形成するために２つの基材の間の空間を充填する方法であって、
前記方法は、
ａ）請求項１〜７のいずれか１項に記載のシリコーン室温硬化性シーラント／接着剤組成物を提供し、該組成物を第１の基材に適用し、前記第１の基材に塗布された前記シリコーン配合物と第２の基材を接触させること、または
ｂ）第１の基材及び第２の基材の配置によって形成された空間を、前記シリコーン室温硬化性シーラント／接着剤組成物で充填すること、ならびに
ｃ）前記シリコーン配合物を硬化させること、を含む方法。
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
１つ以上のブロックコポリマーと１つ以上の粘着付与樹脂とを含む接着剤組成物であって、１つ以上のブロックコポリマーが、
（ｉ）重合したアルケニルアレーンモノマーの１つ以上のブロック（Ａブロック）、
（ｉｉ）重合した共役ジエンモノマーの１つ以上のブロック（Ｂブロック）、及び任意選択的に、重合した共役ジエンの少なくとも１つの（Ｂブロックと比較して）低分子量のブロック（Ｃブロック）を含み、
Ａブロック、Ｂブロック及びＣブロックが組成及び分子量に関して互いに独立して変化し得る該接着剤組成物。
【請求項２】
ブロックコポリマーが、Ａ−Ｂ−Ａ、（ＡＢ）ｎＸ、Ａ−Ｂ−Ａ−Ｃ、Ｃ−Ａ−Ｂ−Ａ−Ｃ、（Ｃ−Ａ−Ｂ）ｎＸ、（Ａ−Ｂ）ｎＸ（Ｃ）ｍ及び（Ｃ−Ａ−Ｂ）ｎＸ（Ｃ）ｍからなる群から選択される構造を有し、式中ｎ及び／又はｍは２〜２０であり、Ｘはカップリング剤であり、ｎ＋ｍの合計はカップリング剤の価数を超えることはできない、請求項１に記載の接着剤組成物。
【請求項３】
共役ジエンモノマーが１，３−ブタジエン、置換ブタジエン、イソプレン、ピペリレン、２，３−ジメチル−１，３−ブタジエン、１−フェニル−１，３−ブタジエン、イソプレン又はそれらの組み合わせである、請求項１または２に記載の接着剤組成物。
【請求項４】
カップリング剤が、複数の官能基を有し、リビングアニオン性鎖末端と付加的に反応する任意の化学種を含む、請求項１または２に記載の接着剤組成物。
【請求項５】
Ａブロックが、約４，０００ｇ／モル〜約３０，０００ｇ／モルのピーク分子量を有する、請求項１または２に記載の接着剤組成物。
【請求項６】
Ｂブロックが、約２０，０００ｇ／モル〜約２００，０００ｇ／モルのピーク分子量を有する、請求項１または２に記載の接着剤組成物。
【請求項７】
Ｃブロックが、約２，０００ｇ／モル〜３０，０００ｇ／モルのピーク分子量を有する、請求項１または２に記載の接着剤組成物。
【請求項８】
末端Ｃブロックを有する構造が内部Ｂブロックの分子量に対して０．０１：１〜１：１の分子量比を有する、請求項７に記載の接着剤組成物。
【請求項９】
構造が構造中の少なくとも１つの末端Ｃブロック及び構造中の１つの末端Ａブロックを有する、請求項１に記載の接着剤組成物。
【請求項１０】
末端Ｃブロックを有する構造が、いかなる内部Ｂブロックよりも小さい分子量を有する、請求項１または２に記載の接着剤組成物。
【請求項１１】
１つ以上の末端ブロック樹脂及び１つ以上の油をさらに含み、ブロックコポリマーが、接着剤組成物の総重量に基づいて、約１５重量％〜約５０重量％の範囲で存在し、粘着付与剤が約３５重量％〜約６０重量％の範囲で存在し、１つ以上の末端ブロック樹脂が約０〜約３５重量％の範囲で存在し、１つ以上の油が約１０重量％〜約２５重量％の範囲で存在する、請求項１または２に記載の接着剤組成物。
【請求項１２】
接着剤が弾性アタッチメントのためのホットメルト接着剤である、請求項１または２に記載の接着剤組成物。
【請求項１３】
請求項１または２に記載の接着剤組成物を使用する方法であって、接着剤が約１２５℃〜約１３８℃の間の温度で弾性アタッチメントに噴霧され、乾燥される、方法。
【請求項１４】
人のためのレッグホール及びウエストホールを有するおむつであって、おむつのレッグホール及びウエストホールの周囲に弾性アタッチメントを含み、弾性アタッチメントが接着剤組成物によっておむつに固定され、接着剤組成物が、１つ以上のブロックコポリマーと１つ以上の末端ブロック樹脂と１つ以上の粘着付与剤と１つ以上の油とを含み、１つ以上のブロックコポリマーは、（ｉ）重合したアルケニルアレーンモノマーの１つ以上のブロック（Ａブロック）、（ｉｉ）重合した共役ジエンモノマーの１つ以上のブロック（Ｂブロック）、及び任意選択的に、重合した共役ジエンの少なくとも１つの（Ｂブロックと比較して）低分子量のブロック（Ｃブロック）を含み、Ａブロック、Ｂブロック及びＣブロックは組成及び分子量に関して互いに独立して変化し得、ブロックコポリマーは、接着剤組成物の総重量に基づいて約１０〜約３０重量％の範囲で存在し、粘着付与剤は約２５重量％〜約７０重量％の範囲で存在し、１つ以上の末端ブロック樹脂は約１０重量％〜約４０重量％の範囲で存在し、１つ以上の油は約５重量％〜約３０重量％の範囲で存在する、おむつ。
【請求項１５】
Ａブロックが約４，０００重量％〜約３０，０００ｇ／モルのピーク分子量を有し、Ｂブロックが約２０，０００ｇ／モル〜約２００，０００ｇ／モルのピーク分子量を有し、Ｃブロックが約２，０００ｇ／モル〜３０，０００ｇ／モルのピーク分子量を有する、請求項１４に記載のおむつ。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
液体キャリア、組成物の重量で約０．５〜約６．０％の間の量のラテックス、ポリサッカリド懸濁剤および３００μｍ未満の粒度を有する粒状物質を含む、シーラント組成物であって、
前記液体キャリアは、水、グリコールおよびグリセリンから選択される１もしくはこれより多くの構成要素を含み、
前記ポリサッカリド懸濁剤は、微生物由来ポリサッカリドであって、キサンタンガムを含まないシーラント組成物。
【請求項２】
前記液体キャリアは、約２０重量％〜約８０重量％の水、約５重量％〜約５０重量％のグリセリンおよび約５重量％〜約５０重量％のプロピレングリコールを含む、請求項１に記載のシーラント組成物。
【請求項３】
前記ラテックスは、天然ゴムまたは合成ゴムのラテックスエマルジョンまたは分散物である、請求項１または２に記載のシーラント組成物。
【請求項４】
前記ポリサッカリド懸濁剤は、デュータンガムおよびグレウィアガムから選択される、請求項１〜３のいずれか１項に記載のシーラント組成物。
【請求項５】
前記ポリサッカリド懸濁剤は、組成物全体の重量で約０．００２５％〜約１．０％の間の量で存在する、請求項１〜４のいずれか１項に記載のシーラント組成物。
【請求項６】
前記粒状物質は、約１０μｍ〜約２５０μｍの範囲に及ぶ最大粒度を有する、請求項１〜５のいずれか１項に記載のシーラント組成物。
【請求項７】
前記粒状物質は、（ｉ）約１０μｍから約３８μｍまでが約０．５％〜約５％；（ｉｉ）約３８μｍから約７５μｍまでが約４％〜約１２％；（ｉｉｉ）約７５μｍから約１５０μｍまでが約３５％〜約６０％；約１５０μｍから約２００μｍまでが約２０％〜約４５％；および約２００μｍから約２５０μｍまでが約５％〜約１８％、という粒度分布を構成する、請求項１〜６のいずれか１項に記載のシーラント組成物。
【請求項８】
前記粒状物質は、合成ポリマー、植物性ポリマーおよびクレイのうちの１もしくはこれより多くから選択される、請求項１〜７のいずれか１項に記載のシーラント組成物。
【請求項９】
前記粒状物質は、ポリエチレン、ポリプロピレン、粉砕樹皮粉、粉砕ピーナッツ殻、キトサン、スギナ（Ｅｑｕｉｓｅｔｕｍ  Ａｒｖｅｎｓｅ）粉末、茶葉粉末、パセリ粉末、珪藻土、ベントナイトおよび二酸化チタンのうちの１もしくはこれより多くから選択される、請求項８に記載のシーラント組成物。
【請求項１０】
前記シーラント組成物は、組成物全体の重量で約３％〜約６％の間の全固体含有量を有する、請求項１〜９のいずれか１項に記載のシーラント組成物。
【請求項１１】
フュームドシリカ、タピオカ、アンモニア、ガムロジン、ケイ酸ナトリウム、炭酸水素ナトリウム、ビニル樹脂およびポリブタンならびにこれらの組み合わせからなる群より選択される構成要素をさらに含む、請求項１〜１０のいずれか１項に記載のシーラント組成物。
【請求項１２】
前記シーラント組成物は、約３０〜約１００ｃＰの間から選択される粘性を構成する、請求項１〜１１のいずれか１項に記載のシーラント組成物。
【請求項１３】
前記シーラント組成物のｐＨは、約９．０〜約１０．０の間である、請求項１〜１２のいずれか１項に記載のシーラント組成物。
【請求項１４】
空気入りタイヤのパンクを密閉するための方法であって、前記方法は、前記パンクを、液体キャリア、組成物の重量で約０．５〜約６．０％の間の量のラテックス、ポリサッカリド懸濁剤および３００μｍ未満の粒度を有する粒状物質を含むシーラント組成物に露出させる工程を包含し、それによって、前記パンクを密閉する方法であり、
前記液体キャリアは、水、グリコールおよびグリセリンから選択される１もしくはこれより多くの構成要素を含み、
前記ポリサッカリド懸濁剤は、微生物由来ポリサッカリドであって、キサンタンガムを含まない空気入りタイヤのパンクを密閉するための方法。
【請求項１５】
前記パンクは、前記タイヤの外側ショルダー縁部および／またはサイドウォール部にある、請求項１４に記載の方法。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
乳児のための新生児用インキュベータであって、
１又はそれ以上の電解質及び１又はそれ以上のミネラルを含む合成羊水を保持するように構成された羊水浴であって、前記合成羊水が、前記１又はそれ以上の電解質及び前記１又はそれ以上のミネラルを含むカートリッジを当該新生児用インキュベータに設置すること、及び、精製水に前記カートリッジの内容物を溶解させて、制御された濃度の前記１又はそれ以上の電解質及び前記１又はそれ以上のミネラルを得ること、によって生成される、羊水浴と、
前記カートリッジの内容物を溶解させるための前記精製水を供給するように構成された精製水供給タンクと、
前記羊水浴から廃水を除去するように構成された廃水除去タンクと、
前記羊水浴に選択的に取り付けることが可能であって、無菌であり使い捨て可能な浴カバーと、
前記乳児の頭部が前記羊水浴に沈まないように該乳児の位置を前記羊水浴の内部に維持するように構成された安全ハーネスと、
を具備することを特徴とする新生児用インキュベータ。
【請求項２】
前記合成羊水の温度を検出するように構成された温度センサと、
検出された前記温度が所定の閾値より低いときに前記合成羊水を加熱するように構成されたヒーターと、
をさらに具備する請求項１に記載の新生児用インキュベータ。
【請求項３】
前記精製水供給タンク及び前記廃水除去タンクが当該新生児用インキュベータから選択的に取り外すことが可能である、請求項１に記載の新生児用インキュベータ。
【請求項４】
前記合成羊水がさらにアルブミンを含む、請求項１に記載の新生児用インキュベータ。
【請求項５】
前記カートリッジがさらにグルコース及び１又はそれ以上のアミノ酸を含む、請求項１に記載の新生児用インキュベータ。
【請求項６】
前記カートリッジが、前記乳児により吸収されるように構成された１又はそれ以上の治療薬を含む、請求項１に記載の新生児用インキュベータ。
【請求項７】
前記合成羊水が、約７.５〜約９.０の範囲のｐＨレベルを含む、請求項１に記載の新生児用インキュベータ。
【請求項８】
前記合成羊水のｐＨレベル及び重量オスモル濃度が、前記乳児の成長に従って変更される、請求項１に記載の新生児用インキュベータ。
【請求項９】
前記廃水除去タンクに対する糞便及び前記合成羊水の処理を容易にするように構成され、糞便収集器、浴液流入部、１又はそれ以上のフィルター、及び、プラグユニットをさらに含む、合成羊水処理ユニット、をさらに具備する、請求項１に記載の新生児用インキュベータ。
【請求項１０】
浴カバーに結合されるように構成されるアダプターシートをさらに具備し、
前記アダプターシートは、各々が相互に異なるサイズを有する複数のアダプターシートから選択されるものである、請求項１に記載の新生児用インキュベータ。
【請求項１１】
前記合成羊水が発散ノズルを介して前記羊水浴に供給される、請求項１に記載の新生児用インキュベータ。
【請求項１２】
前記乳児の首に近接して着用されるように構成された流体センサをさらに具備し、
前記流体センサは、該流体センサに接触する流体の存在を検出するように構成され、
前記流体センサに接触する流体の存在を検出することにより、前記合成羊水の少なくとも一部が廃水除去システムを介して前記羊水浴から自動的に除去されるようになっている、請求項１に記載の新生児用インキュベータ。
【請求項１３】
前記浴カバーの上に配置された１又はそれ以上のブリッジをさらに具備する、請求項１に記載の新生児用インキュベータ。
【請求項１４】
前記１又はそれ以上のブリッジが、栄養チューブ、酸素チューブ及び臍帯カテーテルのうちの１又はそれ以上の第１端を前記合成羊水の上方に固定する、請求項１３に記載の新生児用インキュベータ。
【請求項１５】
栄養チューブ、酸素チューブ及び臍帯カテーテルのうちの１又はそれ以上の第２端が前記乳児に接続される、請求項１４に記載の新生児用インキュベータ。
【請求項１６】
乳児のための新生児用インキュベータであって、
１又はそれ以上の電解質及び１又はそれ以上のミネラルを含む合成羊水を保持するように構成された羊水浴であって、前記合成羊水が、前記１又はそれ以上の電解質及び前記１又はそれ以上のミネラルを含むカートリッジを当該新生児用インキュベータに設置すること、及び、精製水に前記カートリッジの内容物を溶解させて、制御された濃度の前記１又はそれ以上の電解質及び前記１又はそれ以上のミネラルを得ること、によって生成される、羊水浴と、
前記カートリッジの前記内容物を溶解させるための前記精製水を供給するように構成された精製水供給タンクと、
前記羊水浴から廃水を除去するように構成された廃水除去タンクと、
前記羊水浴に選択的に取り付けることが可能な、無菌であり使い捨て可能な浴カバーと、
を具備し、
前記浴カバーの２つの周縁部が前記羊水浴の上方にあるブリッジにより接続され、
前記ブリッジが、臍帯カテーテルの一端を前記合成羊水の上方において固定するための固定機構を含み、
当該新生児用インキュベータが、さらに、前記乳児の頭部が前記羊水浴に沈まないように該乳児の位置を前記羊水浴の内部に維持するように構成された安全ハーネス、を具備する、ことを特徴とする新生児用インキュベータ。
【請求項１７】
前記乳児の首の周りに着用されるように構成された流体センサをさらに具備し、
前記流体センサは、該流体センサに接触する流体の存在を検出するように構成され、
前記流体センサに接触する流体の存在を検出することにより、前記合成羊水の少なくとも一部が廃水除去システムを介して前記羊水浴から自動的に除去されるようになっている、請求項１６に記載の新生児用インキュベータ。
【請求項１８】
前記ブリッジが、前記合成羊水の上方において栄養チューブの第１端をさらに固定するように構成される、請求項１６に記載の新生児用インキュベータ。
【請求項１９】
前記臍帯カテーテルの第２端が前記乳児に接続される、請求項１６に記載の新生児用インキュベータ。
【請求項２０】
前記合成羊水が、さらに、前記乳児により吸収されるように構成された１又はそれ以上の薬を含み、
前記カートリッジがさらに前記１又はそれ以上の薬を含む、請求項１６に記載の新生児用インキュベータ。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
周辺環境の試料を取得するための試料採取容器（２）であって、
・外側容器壁（１４）により囲まれ、外側容器壁（１４）内に配置された少なくとも１つの通流口（２６）を介して周辺環境と直接流れ的に接続されており、少なくとも底領域が液体で充填可能な外室（１０）と、
・内側容器壁（１２）により囲まれ、内側容器壁（１２）内に配置された通流口（１６）を介して外室（１０）の底領域と流れ的に接続され、試料採取管（１８）用の接続端子（５６）と搬送媒体管（２２）用の接続端子（６２）とを有し、周辺環境に対して常時は圧力密および媒体密に密閉されている内室（６）と、
・操作媒体管（１１４）用の接続端子（１１２）を有し外室（１０）と内室（６）の間の通流口（１６）に対する空圧的または水圧的に操作可能な閉鎖装置（７２）と
を有し、
外室（１０）から内室（６）への通流口（１６）がベンチュリノズル（５０）として形成される試料採取容器。
【請求項２】
閉鎖装置（７２）が中空シリンダ（７８）内で開位置と閉位置との間を動く閉鎖ピストン（７４）を有する請求項１記載の試料採取容器（２）。
【請求項３】
閉鎖ピストン（７４）を静止状態で開位置へもたらすばね要素（１０６）が設けられ、操作媒体の十分な圧力下で閉鎖ピストン（７４）がばね要素（１０６）の力に抗して閉鎖位置に動かされる請求項２記載の試料採取容器（２）。
【請求項４】
閉鎖装置（７２）が外側容器壁（１４）の底板（７６）内に配置される請求項１から３の１つに記載の試料採取容器（２）。
【請求項５】
試料採取管（１８）用の接続端子（５６）が内室（６）に突入する立ち上がり管（２０）に接続される請求項１から４の１つに記載の試料採取容器（２）。
【請求項６】
内室（６）に突入する少なくとも１つの導熱管（６８）が周辺環境から内室（６）へ熱を搬送するために設けられる請求項１から５の１つに記載の試料採取容器（２）。
【請求項７】
請求項１から６の１つに記載の試料採取容器（２）を備えた試料採取システム（２００）であって、容器の内室（６）に真空ポンプ（１５０，１９２）に接続された試料採取管（１８）と圧力ガス源（１５８）に接続された搬送媒体管（２２）が接続され、容器の閉鎖装置（７２）に圧力ガス源（１５８）に接続された操作媒体管（１１４）が接続されるようにした試料採取システム。
【請求項８】
操作媒体管（１１４）が搬送媒体管（２２）から分岐し、搬送媒体が同時に閉鎖装置（７２）用の操作媒体として作用するようにした請求項７記載の試料採取システム（２００）。
【請求項９】
搬送媒体が窒素ガスである請求項７または８記載の試料採取システム（２００）。
【請求項１０】
試料採取管（１８）に超臨界で流される絞り（５８）が試料採取管（１８）中の流量を一定に保持するために接続される請求項７から９の１つに記載の試料採取システム（２００）。
【請求項１１】
真空ポンプが噴射ポンプ（１９２）である請求項７から１０の１つに記載の試料採取システム（２００）。
【請求項１２】
格納容器（１２０）と請求項７から１１の１つに記載の試料採取システム（２００）とを備え、少なくとも１つの試料採取容器（２）が格納容器（１２０）の内部に配置され、付設のプロセス・分析モジュール（１２６）が格納容器（１２０）の外側に配置されるようにした原子力発電所。
【請求項１３】
請求項７から１１の１つに記載の試料採取システム（２００）の運転のため、外室（１０）と内室（６）の間の通流口（１６）を開いて試料採取管（１８）に負圧を付勢することによりガス試料を吸引するようにした試料採取システムの運転方法。
【請求項１４】
ガス試料が外室（１０）から内室（６）に溢流する際に洗浄液（１５４）中を導かれる請求項１３記載の方法。
【請求項１５】
洗浄液（１５４）が試料採取前に試料採取管（１８）を介して試料採取容器（２）に導かれる請求項１４記載の方法。
【請求項１６】
請求項７から１１の１つに記載の試料採取システム（２００）の運転のため、外室（１０）と内室（６）の間の通流口（１６）を閉じて搬送媒体管（２２）に過圧を付勢することにより試料採取管中の液体試料に圧力をかけるようにした試料採取システムの運転方法。
【請求項１７】
エアロゾル試料を採取するためにまずガス試料を試料採取容器（２）内の洗浄液（１５４）中に導き、次に液体試料を洗浄液（１５４）から採取するようにした請求項１３から１６の１つに記載の方法。
【請求項１８】
閉鎖装置（７２）を閉鎖するために操作媒体管（１１４）に圧力を付勢するようにした請求項１３から１７の１つに記載の方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ヘッドマウントディスプレイ（ＨＭＤ）装置であって、
正中面を中心にして横方向に配置された第１ディスプレイパネルと第２ディスプレイパネルとを備え、前記第１ディスプレイパネルと前記第２ディスプレイパネルとの各々は、第１側方区画および隣接する第２側方区画に編成された画素行の組を含み、前記第１側方区画は、前記正中面に隣接し、前記第２側方区画は、前記正中面から離れており、前記画素行の組は、前記第１側方区画および前記第２側方区画の両方に亘って連続的に延在しており、
前記正中面を中心にして配置された第１光学部品と第２光学部品とを含む光学組立品を備え、前記第１光学部品と前記第２光学部品との各々は、前記第１ディスプレイパネルと前記第２ディスプレイパネルとのうち対応するディスプレイパネルの前記第１側方区画と交差する光軸を有する第１レンズと、前記第１ディスプレイパネルと前記第２ディスプレイパネルとのうち対応するディスプレイパネルの前記第２側方区画と交差する光軸を有する第２レンズとを含む、ＨＭＤ装置。
【請求項２】
前記第１側方区画は、第１半径を有する曲率を有し、
前記第２側方区画は、前記第１半径とは異なる第２半径を有する曲率を有する、請求項１に記載のＨＭＤ装置。
【請求項３】
前記第２半径は、前記第１半径よりも小さい、請求項２に記載のＨＭＤ装置。
【請求項４】
前記第１側方区画は、横方向の曲率を有し、
前記第２側方区画は、実質的に平坦である、請求項１に記載のＨＭＤ装置。
【請求項５】
前記第１ディスプレイパネルと前記第２ディスプレイパネルとの各々は、前記第１側方区画と前記第２側方区画との間に径方向曲げ部を含む、請求項２〜４のいずれか１項に記載のＨＭＤ装置。
【請求項６】
前記第１レンズの前記光軸は、前記第１ディスプレイパネルと前記第２ディスプレイパネルとのうち対応するディスプレイパネルの前記第１側方区画の対向面に垂直である、請求項１〜５のいずれか１項に記載のＨＭＤ装置。
【請求項７】
前記第２レンズの前記光軸は、前記第１ディスプレイパネルと前記第２ディスプレイパネルとのうち対応するディスプレイパネルの前記第２側方区画の対向面に垂直である、請求項６に記載のＨＭＤ装置。
【請求項８】
前記第１レンズは、回転対称であり、
前記第２レンズは、回転非対称である、請求項１〜７のいずれか１項に記載のＨＭＤ装置。
【請求項９】
前記第１レンズと前記第２レンズとは、実質的に等しい焦点距離を有する、請求項８に記載のＨＭＤ装置。
【請求項１０】
前記第１レンズと前記第２レンズとは、モノリシック光学素子を形成する、請求項８または９に記載のＨＭＤ装置。
【請求項１１】
前記第１側方区画と対応する前記第１レンズとは、少なくとも９０°の側方視野を提供する、請求項１〜１０のいずれか１項に記載のＨＭＤ装置。
【請求項１２】
前記第１ディスプレイパネルと前記第２ディスプレイパネルとは、立体仮想現実画像を提示するように動作する、請求項１〜１１のいずれか１項に記載のＨＭＤ装置。
【請求項１３】
前記第１ディスプレイパネルと前記第２ディスプレイパネルとは、立体拡張現実画像を提示するように動作する、請求項１〜１１のいずれか１項に記載のＨＭＤ装置。
【請求項１４】
方法であって、
ヘッドマウントディスプレイ（ＨＭＤ）装置を提供するステップを含み、
前記ヘッドマウントディスプレイは、正中面を中心にして横方向に配置された第１ディスプレイパネルおよび第２ディスプレイパネルと、前記正中面を中心にして配置された第１光学部品および第２光学部品を含む光学組立品とを備え、
前記第１ディスプレイパネルと前記第２ディスプレイパネルとの各々は、第１側方区画および隣接する第２側方区画に編成された画素行の組を含み、前記第１側方区画は、前記正中面に隣接し、前記第２側方区画は、前記正中面から離れており、前記画素行の組は、前記第１側方区画および前記第２側方区画の両方に亘って連続的に延在しており、
前記第１光学部品と前記第２光学部品との各々は、前記第１ディスプレイパネルと前記第２ディスプレイパネルとのうち対応するディスプレイパネルの前記第１側方区画と交差する光軸を有する第１レンズと、前記第１ディスプレイパネルと前記第２ディスプレイパネルとのうち対応するディスプレイパネルの前記第２側方区画と交差する光軸を有する第２レンズとを含み、
前記第１ディスプレイパネルに第１画像を表示するステップと、
前記第２ディスプレイパネルに第２画像を表示するステップとを含む、方法。
【請求項１５】
前記ＨＭＤ装置を提供するステップは、前記第１側方区画が第１半径を有する曲率を有し、前記第２側方区画が前記第１半径とは異なる第２半径を有する曲率を有するように、前記ＨＭＤ装置を提供することを含む、請求項１４に記載の方法。
【請求項１６】
前記ＨＭＤ装置を提供するステップは、前記第１側方区画が曲率を有し、前記第２側方区画が実質的に平面であるように、前記ＨＭＤ装置を提供することを含む、請求項１４に記載の方法。
【請求項１７】
前記ＨＭＤ装置を提供するステップは、第１レンズが回転対称であり、第２レンズが回転非対称であるように、前記ＨＭＤ装置を提供することを含む、請求項１４〜１６のいずれか１項に記載の方法。
【請求項１８】
前記第１ディスプレイパネルに第１画像を表示するステップは、
直線状原画像を生成するステップと、
歪み前処理した直線状画像を生成するように、前記直線状原画像に対して歪み前処理を実行するステップと、
前記歪み前処理した直線状画像を前記第１ディスプレイパネルに表示するステップとを含み、前記歪み前処理した直線状画像は、前記第１ディスプレイパネルの前記第１側方区画および第２側方区画の両方に跨る、請求項１４〜１７のいずれか１項に記載の方法。
【請求項１９】
前記直線状原画像に対して歪み前処理を実行するステップは、
第１歪みマップを用いて、前記第１側方区画に表示される前記直線状原画像の区画を空間的に変形することによって、前記歪み前処理した直線状画像の第１部分を生成することと、
前記第１歪みマップとは異なる第２歪みマップを用いて、前記第２側方区画に表示される前記直線状原画像の区画を空間的に変形することによって、前記歪み前処理した直線状画像の第２部分を生成することとを含む、請求項１８に記載の方法。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
被験者が糖尿病を進展させるリスクを判定する方法であって、
ａ．前記被験者から生体サンプルを得るステップと、
ｂ．前記サンプル中でパネルの各バイオマーカーのレベルを測定するステップであって、前記パネルは、Ｃ１６：０／Ｃ１８：０比を含む、前記測定するステップと、
ｃ．前記測定レベルを糖尿病を進展させるリスクと相関付けるステップと、
ｄ．前記相関に基づいて前記被験者が糖尿病を進展させる前記リスクを判定するステップと、
ｅ．随意的に、糖尿病を進展させると思われると判定された前記被験者に処置を施すステップと
を備える、方法。
【請求項２】
相関付ける前記ステップは、前記少なくとも１つのバイオマーカーの前記測定レベルからスコアを算出するステップを備える、請求項１に記載の方法。
【請求項３】
前記スコアは、モデルから出力され、前記モデルは、前記パネルの各バイオマーカーの前記測定レベルの入力に基づいて実行される、請求項２に記載の方法。
【請求項４】
判定する前記ステップは、前記算出スコアを閾値スコアと比較するステップを備え、前記被験者は、前記算定スコアが前記閾値スコアを超える場合に糖尿病を進展させると思われると判定される、請求項３に記載の方法。
【請求項５】
相関付ける前記ステップは、前記少なくとも１つのバイオマーカーの各々の前記測定レベルをそれぞれのコンパレータレベルと比較するステップを備える、請求項１に記載の方法。
【請求項６】
前記パネルは、図１２Ａ〜１２ＣにリストされたパネルＡ、Ｄ、Ｅ、ＧＨ、Ｋ、Ｌ、Ｎ、Ｏ、Ｐ、Ｖ、Ｗ、Ｘ、Ｙ、Ｚ、ＡＣ、ＡＤ、ＡＦ、ＡＧ、ＡＪ、ＡＫ、ＡＭ、ＡＮ、ＡＯ、ＡＶ、ＡＷ、ＡＸ、ＢＥ、ＢＦ、ＢＫ、ＢＮ、ＢＯ及びＢＳから選択されたパネルを備える、請求項１に記載の方法。
【請求項７】
図１１の前記少なくとも１つのバイオマーカーは、
ａ．Ｃ１８：１ｎ９／Ｃ１８：０比、
ｂ．Ｃ２０：３ｎ６／Ｃ２０：４、および
ｃ．総トリグリセリド（「ＴＧ」）
のうちの１つ以上を備える、請求項１に記載の方法。
【請求項８】
被験者の糖尿病処置をモニターする方法であって、
ａ．第１の生体サンプルを前記被験者から、および第２の生体サンプルを前記被験者から得るステップであって、前記第１の生体サンプルは、前記被験者が糖尿病処置を受ける前に前記被験者から得られ、前記第２の生体サンプルは、前記被験者が前記糖尿病処置を受けた後に前記被験者から得られる、前記得るステップと、
ｂ．前記第１のサンプルおよび前記第２のサンプル中で図１１の少なくとも１つのバイオマーカーの前記レベルを測定するステップであって、前記少なくとも１つのバイオマーカーは、Ｃ１６：０／Ｃ１８：０比を含む、前記測定するステップと、
ｃ．前記第１のサンプル中の前記少なくとも１つのバイオマーカーの前記測定レベルを前記第２のサンプル中の前記少なくとも１つのバイオマーカーの前記測定レベルと比較するステップと、
ｄ．前記第２のサンプル中の前記少なくとも１つのバイオマーカーの前記測定レベルに対する前記第１のサンプル中の前記少なくとも１つのバイオマーカーの前記測定レベルにおける偏差に基づいて前記処置の有効性を判定するステップと、
ｅ．随意的に、前記有効性が閾値未満であると判定された場合に前記処置を変更するか、または停止するステップと
を備える、方法。